(57)【要約】【課題】内部の断熱機能を損なうことなく、内部の熱が上面部に良く伝達されるようにし、簡易ハウスの上面部に積もった雪が融け易くなるようにして、雪による障害の防止を図った簡易ハウスを提供する。【解決手段】骨組１に透光性の樹脂シート２を被覆して構築され、上面部３及び側面部４で囲まれる内部空間５を形成してなり、内部空間５であって骨組１の上側に上面部３に対向する骨材６を架設し、骨材６に黒色のシート７を張設して天井８を形成し、天井８と上面部３との間に天井裏空間９を形成し、天井８に断熱材１０を吹き付けて設け、天井８に天井裏空間９に連通する通気孔１２を形成し、天井裏空間９に温風を送給する温風送給機１４を備えた。【選択図】          図１
2004313075.tif 000002
【特許請求の範囲】
【請求項１】
骨組にシートを被覆して構築され、上面部及び側面部で囲まれる内部空間を形成してなる簡易ハウスにおいて、
上記内部空間であって上記骨組の上側に上記上面部に対向する骨材を架設し、該骨材にシートを張設して天井を形成し、該天井と上記上面部との間に天井裏空間を形成し、上記天井に断熱材を設けたことを特徴とする簡易ハウス。
【請求項２】
上記天井に天井裏空間に連通する通気孔を形成したことを特徴とする請求項１記載の簡易ハウス。
【請求項３】
上記天井裏空間に温風を送給する温風送給機を備えたことを特徴とする請求項１または２記載の簡易ハウス。
【請求項４】
上記骨組に被覆されるシートを透光性の樹脂シートで構成し、上記天井の上記上面部側の面を黒色にしたことを特徴とする請求項１，２または３記載の簡易ハウス。
【請求項５】
上記断熱材を、樹脂材を吹き付けることにより形成したことを特徴とする請求項１，２，３または４記載の簡易ハウス。
【発明の詳細な説明】
【０００１】
【発明の属する技術分野】
本発明は、畜舎用や野菜等の植物栽培用等に用いられる簡易ハウスに係り、特に、骨組にシートを被覆して構築される簡易ハウスに関する。
【０００２】
【従来の技術】
従来の簡易ハウスには、例えば、特開平８−２２８６０８号公報に記載の技術が知られている（特許文献１参照）。
図５に示すように、この簡易ハウス１００は、椎茸等の茸類やもやし等の比較的暗いところで栽培する植物の栽培用ハウスであり、アーチ状の骨組１０１をコンクリート１０２の床に固定し、この骨組１０１の外側をシート１０３で被覆して構成されている。そして、シート１０３の内側に断熱材１０４を所定の厚さに固着させている。この断熱材１０４は、硬質ウレタンあるいは発泡合成ゴム等の材料で構成され、シート１０３に吹き付けて固着されている。
【０００３】
【特許文献１】
特開平８−２２８６０８号公報
【０００４】
【発明が解決しようとする課題】
ところで、この従来の簡易ハウス１００においては、断熱材１０４が設けられているので、保温効果が向上し、茸栽培等に適した温度条件を作り出すことには優れているが、反面、この簡易ハウス１００が降雪地帯で用いられ、冬季に簡易ハウス１００の上面部に雪が積もった場合、断熱材１０４があることから内部の熱が上面部にほとんど伝わらないので雪が融けにくくなり、簡易ハウス１００はアーチ状の骨組１０１とシート１０３で形成された簡易な構造なので、雪の重みで強度を保持できずに簡易ハウスが倒壊してしまう虞があるという問題があった。
【０００５】
本発明は上記の問題点に鑑みて為されたもので、内部の断熱機能を損なうことなく、内部の熱が上面部に良く伝達されるようにし、簡易ハウスの上面部に積もった雪が融け易くなるようにして、雪による障害の防止を図った簡易ハウスを提供することを目的とする。
【０００６】
【課題を解決するための手段】
このような目的を達成するための本発明の技術的手段は、骨組にシートを被覆して構築され、上面部及び側面部で囲まれる内部空間を形成してなる簡易ハウスにおいて、上記内部空間であって上記骨組の上側に上記上面部に対向する骨材を架設し、該骨材にシートを張設して天井を形成し、該天井と上記上面部との間に天井裏空間を形成し、上記天井に断熱材を設けた構成としている。
【０００７】
これにより、冬場において、天井裏空間の空気が暖かいと、上面部には断熱材がないので、上面部に内部の熱が伝わりやすくなる。そのため、上面部に降りかかる雪が融かされ、また、上面部に積雪しても、積雪した雪の塊に熱が伝達されるので融け易くなる。このため、簡易ハウスの雪による倒壊などの支障が防止される。一方、天井には、断熱材が設けられているので、内部空間の保温効果が損なわれる事がなく、茸栽培等の使用条件に適した温度条件を作り出すことができる。
【０００８】
そして、必要に応じ、上記天井に天井裏空間に連通する通気孔を形成した構成としている。これにより、内部空間から通気孔を通して暖かい空気を天井裏空間に流入させることができる。そのため、天井裏空間を積極的に暖めることができ、断熱材のない上面部に熱を確実に伝えることができ、融雪効率が向上させられる。
【０００９】
また、必要に応じ、上記天井裏空間に温風を送給する温風送給機を備えた構成としている。天井裏空間を強制的に暖めることができ、気温の低いとき等でも、断熱材のない上面部に熱をより確実に伝えることができ、融雪効率が向上させられる。
【００１０】
更に、必要に応じ、上記骨組に被覆されるシートを透光性の樹脂シートで構成し、上記天井の上記上面部側の面を黒色にした構成としている。
これによれば、冬場において、特に、日照があるときには、上面部から日光が差し込むので、天井裏空間の空気を加温することができ、また、天井の上面部側の面は黒色なので、熱の吸収がよく天井裏空間の空気の加暖効率が向上させられる。
【００１１】
更にまた、必要に応じ、上記断熱材を、樹脂材を吹き付けることにより形成した構成としている。施工を容易にすることができる。
【００１２】
【発明の実施の形態】
以下、添付図面に基づいて、本発明の実施の形態に係る簡易ハウスについて詳細に説明する。
図１及び図２には、本発明の実施の形態に係る簡易ハウスＨを示す。簡易ハウスＨは、畜舎用や野菜等の植物栽培用等に用いられるもので、地面あるいは地面に形成したコンクリートの床上に、アーチ状の骨組１を設け、この骨組１に透明もしくは半透明の透光性の樹脂シート２を被覆して構築され、上面部３及び側面部４で囲まれる内部空間５を形成して構成されている。
【００１３】
また、内部空間５であって骨組１の上側には、上面部３に対向するパイプなどで形成された骨材６が格子状に架設されている。この骨材６には、シート７が張設されて、天井８が形成され、この天井８と上面部３との間に天井裏空間９が形成されている。シート７としては、天井８の上面部３側の面が黒色に着色されるように、黒色の樹脂シートが用いられる。
【００１４】
また、この天井８には、断熱材１０が設けられている。この断熱材１０は、硬質ウレタンあるいは発泡合成ゴム等の樹脂材料で構成され、シート７に吹き付けて固着されている。更に、断熱材１０の表面には樹脂製の表面材１１が吹き付けにより被覆されている。
【００１５】
更にまた、天井８には、天井裏空間９に連通する通気孔１２が、適宜の位置に複数形成されている。通気孔１２は、パイプ１３で形成され、表面材１１，断熱材１０及びシート７を貫通して設けられている。
【００１６】
また、実施の形態では、天井裏空間９に温風を送給する温風送給機１４が設けられている。この温風送給機１４は、例えば、電気ヒータ（図示せず）で加温された空気を送風するファン（図示せず）を備えて構成されている。１５は温風送風機のダクトであり、表面材１１，断熱材１０及びシート７を貫通して設けられている。
更に、内部空間５には、暖房あるいは冷房を行なうエアーコンディショナー１６が設けられている。尚、上記温風送給機１４の機能を、エアーコンディショナー１６の暖房機能で行なうようにしても良い。
【００１７】
従って、この実施の形態に係る簡易ハウスＨを、例えば、降雪地帯で使用する場合は、以下のようになる。
先ず、通常は、夏場冬場を問わず、内部空間５を所定温度範囲に保持するようにする。この場合、エアーコンディショナー１６の冷暖房機能により、内部空間５の室温調整を行なう。特に、気温が低いような場合には、エアーコンディショナー１６のみならず温風送給機１４も作動させればよい。これにより、天井裏空間９の空気が加温されるとともに、この加温された空気は、通気孔１２を通って内部空間５にも流入する。そのため、この温風送給機１４によっても内部空間５を暖めることが可能になる。
【００１８】
そして、冬場において、特に、日照があるときには、上面部３から日光が差し込むので、天井裏空間９の空気が加温される。この場合、シート７は黒色なので、熱の吸収がよく天井裏空間９の空気の加暖効率が良い。
この加温された空気は、通気孔１２を通って内部空間５にも流入する。そのため、温風送給機１４やエアーコンディショナー１６を作動させなくても、内部空間５を暖めることが可能になり、熱効率が向上させられる。また、日照があるにもかかわらず気温が低いような場合には、温風送給機１４やエアーコンディショナー１６を作動させればよい。この温風送給機１４を作動させた場合は、天井裏空間９の空気が加温されるとともに、この加温された空気は、通気孔１２を通って内部空間５にも流入する。そのため、この温風送給機１４によっても内部空間５を暖めることが可能になる。
【００１９】
また、図３に示すように、降雪のときにおいて、夜間等の気温が比較的暖かい場合には、温風送給機１４を使用しないで対処することができる。この際には、内部空間５の暖かい空気が通気孔１２を通って天井裏空間９に流入する。これによって天井裏空間９が暖められることにより上面部３に熱が伝わる。上面部３には断熱材がないので、上面部３に内部の熱が伝わりやすくなる。そのため、上面部３に降りかかる雪が融かされ、また、上面部３に積雪しても、積雪した雪Ｓの塊に熱が伝達されるので融け易くなる。このため、簡易ハウスＨの雪による倒壊などの支障が防止される。
【００２０】
一方、図３に示すように、降雪のときにおいて、天井裏空間９の気温が低く、降雪量も多量の場合等には、温風送給機１４を使用して対処する。この際には、温風送給機１４から温風がダクト１５を通って天井裏空間９に送給され、天井裏空間９の空気が加温される。この場合も、上面部３には断熱材がないので、上面部３に内部の熱が伝わりやすくなる。そのため、上面部３に降りかかる雪が融かされ、また、上面部３に積雪しても、積雪した雪Ｓの塊に熱が伝達されるので融け易くなる。このため、簡易ハウスＨの雪による倒壊などの支障が防止される。
【００２１】
次に、本発明の簡易ハウスＨの変形例を、図４に示す。これは、温風送給機１４を特に備えないで、通気孔１２に内部空間５の空気を強制的に送給するファン１７を備えている。このファン１７により、天井裏空間９に内部空間５の暖かい空気を強制的に送給できるので、天井裏空間９を常時内部空間５と同等の温度に保持しておくことができ、そのため、上記と同様に、この天井裏空間９の熱により、上面部３に降りかかる雪が融かされ、また、上面部３に積雪しても、積雪した雪Ｓの塊に熱が伝達されるので融け易くなる。このため、簡易ハウスＨの雪による倒壊などの支障が防止される。
【００２２】
尚、上記実施の形態において、断熱材１０は天井８のみに設けたが、必ずしもこれに限定されるものではなく、側面部４にも設けるようにしてよく適宜変更して差支えない。また、実施の形態にかかる簡易ハウスの用途も、椎茸等の茸類やもやし等の比較的暗いところで栽培する植物の栽培用に限らず、畜舎用等どのような用途に用いても良い事は勿論である。
【００２３】
【発明の効果】
以上説明したように、本発明の簡易ハウスによれば、天井裏空間を形成し、天井に断熱材を設けたので、上面部には断熱材がないことになることから、上面部に内部の熱が伝わりやすくなる。そのため、上面部に降りかかる雪が融かされ、また、上面部に積雪しても、積雪した雪の塊に熱が伝達されるので融け易くなり、簡易ハウスの雪による倒壊などの支障を防止することができる。
また、天井には、断熱材が設けられているので、内部空間の保温効果が損なわれる事がなく、茸栽培等に適した温度条件を作り出すことができる。
【００２４】
また、天井に、天井裏空間に連通する通気孔を形成した場合には、内部空間の暖かい空気を天井裏空間に流入させることができ、天井裏空間を積極的に暖めることができ、断熱材のない上面部に熱を確実に伝えることができ、融雪効率を向上させる事ができる。
【００２５】
更に、天井裏空間に温風を送給する温風送給機を備えた場合には、天井裏空間を強制的に暖めることができ、気温の低いとき等でも、断熱材のない上面部に熱をより確実に伝えることができ、融雪効率を向上させる事ができる。
【００２６】
更に、骨組に被覆されるシートを透光性の樹脂シートで構成し、天井の上面部側の面を黒色にした場合には、冬場において、特に、日照があるときには、上面部から日光が差し込むので、天井裏空間の空気を加温することができ、また、天井の上面部側の面は黒色なので、熱の吸収がよく天井裏空間の空気の加暖効率を向上させることができる。
【図面の簡単な説明】
【図１】本発明の実施の形態に係る簡易ハウスを示す断面図である。
【図２】本発明の実施の形態に係る簡易ハウスを示す要部拡大断面図である。
【図３】本発明の実施の形態に係る簡易ハウスの作用を示す断面図である。
【図４】本発明の実施の形態に係る簡易ハウスの変形例を示す断面図である。
【図５】従来の簡易ハウスの一例を示す断面図である。
【符号の説明】
Ｈ  簡易ハウス
Ｓ  積雪した雪
１  骨組
２  透光性の樹脂シート
３  上面部
４  側面部
５  内部空間
６  骨材
７  シート
８  天井
９  天井裏空間
１０  断熱材
１１  表面材
１２  通気孔
１３  パイプ
１４  温風送給機
１５  ダクト
１６  エアーコンディショナー
１７  ファン
【図１】
2004313075.tif 000003
【図２】
2004313075.tif 000004
【図３】
2004313075.tif 000005
【図４】
2004313075.tif 000006
【図５】
2004313075.tif 000007